(57)【要約】【課題】視覚的な楽しみや興味のバリエーションを大幅に増やすことができ、これにより娯楽性の大幅な向上が図れる遊技装置を提供すること。【解決手段】本体１と、この本体に設けられた盤面２と、上記本体に設けられ、回動により遊技球Ａを打ち出す操作ハンドル２１と、上記盤面に設けられ、打ち出された遊技球Ａをガイドして上記盤面に投入する外側レール４及び内側レール１１と、上記盤面に設けられた入賞口７、８、９と、上記盤面に設けられ、上記入賞口に遊技球Ａが入ることで図柄が変動するカラー液晶表示部６と、上記本体に設けられ、上記入賞口に遊技球Ａが入ることで遊技球Ａが放出される球受けトレー２２とを具備し、上記本体、盤面、操作ハンドル、内側レール、外側レール、入賞口、カラー液晶表示部、及び球受けトレーの少なくとも１つに、内部に光が流れる低電圧ネオン管３１を設けた。【選択図】      図１
2005052628.tif 000002
【特許請求の範囲】
【請求項１】
本体と、
この本体に設けられた盤面と、
この盤面に設けられた遊技領域と、
上記本体に設けられ、回動によって遊技球を打ち出すハンドルと、
上記盤面に設けられ、打ち出された遊技球をガイドして上記遊技領域に投入するレールと、
上記遊技領域に設けられた入賞口と、
上記遊技領域に設けられ、上記入賞口に遊技球が入ることで図柄が変動する表示部と、
上記本体に設けられ、上記入賞口に遊技球が入ることで所定数の遊技球が放出される球受けトレーと、
を具備し、
上記本体、盤面、遊技領域、ハンドル、レール、入賞口、表示部、及び球受けトレーの少なくとも１つに、内部を光が流れる発光手段を設けたことを特徴とする遊技装置。
【発明の詳細な説明】
【技術分野】
【０００１】
本発明は、遊技球を投入して入賞口に入れる遊技装置に関する。
【背景技術】
【０００２】
遊技球を盤面上の遊技領域に投入して入賞口に入れる遊技装置として、たとえばパチンコ台がある。遊技領域には、複数の入賞口、多数本の釘、多数個のランプ、画像表示部などが設けられており、投入された遊技球が入賞口に入ると、ランプが点滅したり、当たりを表わす特定画像（大当たりを表わす図柄変動等）が画像表示部に表示される。
【発明の開示】
【発明が解決しようとする課題】
【０００３】
遊技者の楽しみや興味は、遊技球を入賞口に入れることのほかに、盤面上のランプの点灯や点滅、画像表示部の表示を見ることである。
【０００４】
遊技者にとっては、楽しみや興味の対象がなるべく増えることが望ましい。楽しみや興味の対象が増えれば、遊技者の数が多くなり、遊技装置を設置している店舗にとって売上増が期待できる。
【０００５】
本発明は上記の事情を鑑みてなされたものであって、その目的とするところは、視覚的な楽しみや興味のバリエーションを大幅に増やすことができ、これにより娯楽性の大幅な向上が図れる遊技装置を提供することにある。
【課題を解決するための手段】
【０００６】
上記課題を解決し目的を達成するために、本発明の遊技装置は次のように構成されている。
【０００７】
本体と、この本体に設けられた盤面と、この盤面に設けられた遊技領域と、上記本体に設けられ、回動によって遊技球を打ち出すハンドルと、上記盤面に設けられ、打ち出された遊技球をガイドして上記遊技領域に投入するレールと、上記遊技領域に設けられた入賞口と、上記遊技領域に設けられ、上記入賞口に遊技球が入ることで図柄が変動する表示部と、上記本体に設けられ、上記入賞口に遊技球が入ることで所定数の遊技球が放出される球受けトレーとを具備し、上記本体、盤面、遊技領域、ハンドル、レール、入賞口、表示部、及び球受けトレーの少なくとも１つに、内部を光が流れる発光手段を設けたことを特徴とする。
【発明の効果】
【０００８】
本発明によれば、視覚的な楽しみや興味のバリエーションを大幅に増やすことができるから、娯楽性の大幅な向上が図ることができる。
【発明を実施するための最良の形態】
【０００９】
以下、図面を参照しながら本発明を実施するための最良の形態を説明する。
【００１０】
図１は本発明の一実施の形態に係るパチンコ台の構成を示す概略図である。
【００１１】
図１において、１はパチンコ台（遊技装置）の本体で、前面に透明ガラス（不図示）を備え、その透明ガラスの内側に盤面２を有している。盤面２上には略円形状あるいは縦長楕円形状の遊技領域３が形成され、その遊技領域３を囲む位置に金属製の外側レール４が設けられている。この外側レール４は、遊技領域３の周壁をなすとともに、後述する操作ハンドル２１によって打ち出される遊技球Ａを遊技領域３の上部に導く作用をする。
【００１２】
遊技領域３には、略中央部にカラー液晶表示部６（表示部）が設けられるとともに、特定の条件の下で開放する始動用入賞口７、当たり時のみ開放する大当たり入賞口８、および常時開放の複数の通常入賞口９などが多数本の釘と共に設けられている。大当たり入賞口８は、開放時、受け皿のように盤面２の全面側に突出し、上方から落下してくる遊技球Ａを効率良く受け入れる作用をする。入賞口７、８、９には、遊技球Ａが入ったことを検知するためのスイッチがそれぞれ設けられている。
【００１３】
また、遊技領域３の下部には、入賞口７、８、９に入らなかった遊技球Ａ、いわゆる外れ球を回収するための集球口１０が設けられている。そして、この集球口１０に外れ球を導くために、遊技領域３の両側部から下部にかけて略Ｕ字形の内側レール１１が設けられている。
【００１４】
この内側レール１１は、透光性を有する樹脂製のもので、所定長さの湾曲状のピースが順次に連結されることにより構成されており、外側レール４に対して所定の間隔だけ離間して配設されることで、外側レール４との間に遊技球Ａの投入路３ａが確保されている。
【００１５】
本体１の前面には、上記透明ガラスの下方に、操作ハンドル２１、球受けトレー２２、球収容皿２３が設けられている。操作ハンドル２１を回動操作すると、球受けトレー２２に収容されている遊技球Ａが１発ずつ打ち出され、打ち出された遊技球Ａが外側レール４の内周面を転がるように上昇移動して矢印で示すように遊技領域３の上部に投入される。投入された遊技球Ａが始動用入賞口７または通常入賞口９に入賞すると、所定数の遊技球Ａが球受けトレー２２に放出される。球受けトレー２２が遊技球Ａで満杯になると、それ以降の入賞に基づいて放出される遊技球Ａは球収容皿２３の方に流れる。球受けトレー２２の遊技球Ａをレバー操作によって球収容皿２３に落とすことも可能である。
【００１６】
本体１、盤面２、遊技領域３、操作ハンドル２１、外側レール４、内側レール１１、入賞口７、８、９、カラー液晶表示部６、球受けトレー２２、及び球収容皿２３には、それぞれ内部に低電圧ネオン管３１（発光手段）が設けられている。
【００１７】
この低電圧ネオン管３１は、両端部に主電極、外面にネサ電極（不図示）と呼ばれる蒸着電極を有し、内部にはキセノンガスおよび微量の希ガス等が封入されている。
【００１８】
この低電圧ネオン管３１を発光させる場合、一般の発光ランプのような主放電は行わず、主電極の一方とネサ電極間に交流電圧を加える。これによって、低電圧ネオン管３１内における放電長を変化させ、低電圧ネオン管３１内にその長手方向に延びてゆくような、言い換えれば低電圧ネオン管３１内を流れるような光を発生させる。なお、図中に点線で示す矢印は、低電圧ネオン管３１内の発光部分とその延びる方向を現している。
【００１９】
また、交流電圧の加え方によって光の延び方、流れ方を種々に変更することができる。たとえば、一方の主電極だけでなく、もう一方の主電極間にも交流電圧を加え、この電圧を少しずつ上げていくことで、低電圧ネオン管３１の両側から光が延びて行くように発光させることも可能である。
【００２０】
また、光の色は、低電圧ネオン管３１の内部に塗布される蛍光体の種類によって定まるもので、例えば赤色や紫色等の光を発生させることができる。
【００２１】
次に、上記構成のパチンコ台を使用する際の作用を説明する。
【００２２】
遊技者が操作ハンドル２１を回動操作すると（遊技開始）、遊技球Ａが打ち出される。この遊技球Ａは、内側レール１１と外側レール４の間を外側レール４にガイドされながら上昇し、やがて遊技領域３に投入される。
【００２３】
このとき、内側レール１１と外側レール４に設けられた低電圧ネオン管３１が遊技球Ａの移動に合わせて発光動作することで、遊技球Ａの移動状況が示される。これによって、遊技球Ａの位置を低電圧ネオン管３１の発光部分の先端部の位置によって知ることができ、さらに遊技者に対して視覚的な楽しみを新たに提供することができる。
【００２４】
また、遊技球Ａが外側レール４から離間したときに低電圧ネオン管３１中における光の延びが停止するようにしておけば、遊技球Ａがどの位置から遊技領域３に投入されたかを知ることができ、操作ハンドル２１の操作量の目安として用いることもできる。
【００２５】
遊技領域３に投入された遊技球Ａが入賞したり、あるいはカラー液晶表示部６で図柄変動の表示が開始されると、盤面２、遊技領域３、カラー液晶表示部６、入賞口７、８、９、操作ハンドル２１に飾りとして設けられた低電圧ネオン管３１がそれまでとは異なるパターンで発光する。
【００２６】
これによって、遊技者は、遊技球Ａを入賞口７、８、９に入れる遊技を楽しみながら、同時に、内側レール１１や外側レール４に設けられた低電圧ネオン管３１から放たれる光の演出を目の前で楽しむことができ、さらには、入賞時に盤面２、遊技領域３、カラー液晶表示部６、入賞口７、８、９等に設けられた低電圧ネオン管３１から放たれる光の延出をまるで入賞の祝福をされているかのように感じることもでき、遊技時間をより幸せな時間にすることができる。
【００２７】
このように、従来のように単にランプが点滅するだけのものに比べ、視覚的な楽しみや興味のバリエーションが大幅に増えて、娯楽性が大幅に向上する。遊技の状況を知らせるための手段としては、カラー液晶表示部６の表示がメインではあるが、限られた面積のカラー液晶表示部６では報知し得る情報量に自ずと限度がある。この点、内側レール１１での光の演出が情報の報知手段として加わることにより、遊技者に対するサービス性の向上が図れることはもちろん、遊技内容の拡充につながるという利点がある。
【００２８】
本実施の形態では、パチンコ台に低電圧ネオン管３１を設けているが、これに限定されるものではない。例えば、パチンコ台のほか、いわゆるパチスロ機等の遊技装置、あるいはＵＦＯキャッチャーやゲーム機器等のアミューズメント装置に設けても、遊技者を視覚的に楽しませる効果が得られる。
【００２９】
例えばパチスロ機であれば、低電圧ネオン管３１内を流れる光の速さや、発光部分の長さ等をいわゆる目押しのタイミングとして利用することもできる。
【００３０】
また、ＵＦＯキャッチャーやゲーム機器等でも、遊技中に遊技者がタイミングを計るのに用いることができる。
【００３１】
なお、本発明は、上記実施の形態そのままに限定されるものではなく、実施の段階ではその要旨を逸脱しない範囲で構成要素を変形して具体化できる。また、上記実施の形態に開示されている複数の構成要素の適宜な組み合わせにより種々の発明を形成できる。例えば、実施形態に示される全構成要素から幾つかの構成要素を削除してもよい。
【図面の簡単な説明】
【００３２】
【図１】本発明の一実施の形態に係るパチンコ台の構成を示す概略図。
【符号の説明】
【００３３】
１…本体、２…盤面、３…遊技領域、４…外側レール、６…カラー液晶表示部、７、８、９…入賞口、１１…内側レール、２１…ハンドル、２２…球受けトレー、３１…低電圧ネオン管（発光手段）、Ａ…遊技球。
【図１】
2005052628.tif 000003